(57)【特許請求の範囲】
【請求項１】
放送番組を含む主情報，及び該番組の視聴料金体系情報を含む付随情報から構成される放送信号を受信して表示あるいは記録，再生する放送受信端末において、  上記主情報および付随情報を保存するメモリ部と、
上記放送信号を受信し、受信した放送信号，或いは該メモリ部の出力から主情報および付随情報を抽出する受信部と、
該メモリ部の記録再生を制御するメモリ制御部と、
主情報を処理する主情報処理部と、
通信回線を介して、該放送受信端末が受信した主情報の番組を視聴するための認証および課金を行う外部サーバと情報通信を行う通信部と、
ユーザの操作入力に応じて、上記受信部が抽出した付随情報を処理する付随情報処理部と、
上記主情報処理部の出力から再生信号を生成する出力部と、
上記付随情報処理部および通信部の出力に応じて、上記主情報処理部、メモリ制御部、および出力部を制御するシステム制御部とを備え、
該システム制御部は、上記付随情報処理部及び通信部の出力に応じて付随情報を更新し、上記メモリ部に保存された付随情報を更新するようメモリ制御部を制御することを特徴とする放送受信端末。
【請求項２】
請求項１に記載の放送受信端末において、
上記付随情報は、番組放送日時，チャンネル情報，放送事業者情報を含む放送形態，及び視聴料金体系情報を含む視聴条件の各情報を識別するプログラム識別情報と、番組タイトル，番組制作日，著作者名を含む番組内容を識別するコンテンツ識別情報とで構成され、
上記付随情報処理部は、付随情報からプログラム識別情報およびコンテンツ識別情報を識別し、該コンテンツ識別情報から、過去に受信した番組の放送信号の再放送であること、及び該再放送の付随情報であって該過去に受信した番組の付随情報が更新されたものを識別し、
上記システム制御部は、上記通信部および付随情報処理部の出力に応じて、該付随情報処理部が付随情報を更新するように制御し、メモリ部に保存された付随情報のコンテンツ識別情報およびプログラム識別情報を更新記録するようメモリ制御部を制御することを特徴とする放送受信端末。
【請求項３】
請求項２に記載の放送受信端末において、
上記付随情報処理部は、コンテンツ識別情報から、広告放送または視聴者特典放送を含む非有料放送であるか有料放送であるかを識別することを特徴とする放送受信端末。
【請求項４】
請求項３に記載の放送受信端末において、
上記付随情報処理部は、メモリ部に保存された非有料放送のコンテンツ識別情報に応じて、受信する有料放送，或いは該メモリ部に保存された有料放送のコンテンツ識別情報を更新することを特徴とする放送受信端末。
【発明の詳細な説明】
【０００１】
【発明の属する技術分野】
この発明はディジタル衛星放送などの受信端末に関するものであり、特に、有料放送番組を受信して視聴する際に、通信回線を用いて視聴料金の課金処理などの情報通信を行う放送受信端末に関するものである。
【０００２】
【従来の技術】
近年、放送メディアの多チャンネル化に伴い、視聴者が所定の期間や個別の放送番組に対して視聴料金を支払って視聴する有料放送が普及しはじめている。たとえばディジタル衛星放送において、その放送受信端末は、個別の放送番組に対する視聴料金の課金を行うため、電話回線などの通信回線を用いた通信手段を備え、該放送受信端末と課金管理センターとの情報通信によって顧客毎の課金管理を行っている。
【０００３】
図３は、従来の放送受信端末の構成例を示すブロック図である。
図３において、２０１は放送信号を受信し主情報および付随情報を抽出する受信部、２０３は受信部２０１が抽出した主情報を処理する主情報処理部、２０４は主情報処理部２０３の出力に応じて再生信号を生成する出力部、２０５は受信部２０１が抽出した付随情報をユーザの操作入力に応じて処理する付随情報処理部、２０７は通信回線を用いて情報通信を行う通信部、２０６は主情報処理部２０３，出力部２０４，及び付随情報処理部２０５を制御するシステム制御部である。
【０００４】
次に、上記図３により、従来の放送受信端末の動作について説明する。
まず、受信部２０１は入力された放送信号から番組である映像や音声などの主情報と、その番組の識別情報や視聴料金などの属性を表わす付随情報とを抽出して別個に出力する。該付随情報には、番組のタイトルや内容に関する情報，および放送チャンネルや放送日時，該番組の視聴に対する課金情報が含まれる。
【０００５】
次いで、受信部２０１から出力された付随情報は、付随情報処理部２０５で復号され、システム制御部２０６を介して出力部２０４に出力されて、その主情報がどのような内容の番組か、視聴するための料金がいくらかなどの情報として表示される。ここで、ユーザは、その番組を視聴する場合、付随情報処理部２０５に対してその旨を操作入力する。次いで、付随情報処理部２０５は、操作入力に応じて付随情報を処理して出力する。次いで、通信部２０７は、付随情報処理部２０５からの出力に応じて、予め登録された通信相手先や付随情報として入力された通信相手先と通信を開始する。このとき、通信回線は電話回線を使用し、通信は電話の発呼によって行われる。すなわち、該放送受信端末は、放送およびその課金を管理する管理サーバである通信相手先と、電話回線を介した情報通信を行う。この情報通信によって、管理サーバは、ユーザーを識別し、該ユーザーが番組を視聴するための認証を行い、認証の結果は、通信部２０７を介してシステム制御部２０６に出力される。なお、通信部２０７は、必ずしも付随情報処理部２０５からの出力に応じて毎回情報通信を行うものではなく、一定期間、通信内容を蓄積しておき、所定のタイミングで情報通信を行う場合もある。
【０００６】
一方、受信部２０１から出力された主情報は、主情報処理部２０３で復号される。
次いで、システム制御部２０６は、通信部２０７の出力に応じて、ユーザが番組を視聴できる場合、主情報処理部２０３に対して復号した主情報の出力を許可する。次いで、出力部２０４は主情報処理部２０３からの主情報の再生信号を生成し、例えば、映像信号はテレビモニタに出力し、音声信号は拡声器に出力する。一方、認証の結果、ユーザが番組を視聴できない場合には、主情報処理部２０３に対して復号した主情報の出力を禁止するとともに、出力部２０４に対して該番組を視聴できない旨を表示させる。
【０００７】
このようにして、従来の放送受信端末では、放送信号から抽出した付随情報に含まれる、ユーザが番組を視聴するための視聴条件と、ユーザの操作入力とに応じて、ユーザの認証および課金管理が行われ、認証および課金の結果に応じて、番組の表示を制御することができる。また、近年、このような有料放送番組を記録再生する記録再生装置が開発されており、記録時に主情報とともに付随情報を併せて記録することによって、再生時に再生した放送信号を従来の放送受信端末に入力すれば、上記動作と同様の手順で、ユーザが当該有料放送番組を視聴するための認証および課金を行うことが可能となる。
【０００８】
【発明が解決しようとする課題】
しかしながら、上記従来の放送受信端末では、有料放送番組を視聴するためのユーザの認証および課金処理は、該番組が受信された時点で実行される必要があるため、ユーザは番組を視聴するか否かの選択を番組の放送時に決定しなければならなかった。
【０００９】
そこで、上述の課金情報を含んだ付随情報を主情報とともに記録再生する記録再生装置を用いれば、該番組を視聴するか否かの選択は、放送中にではなく記録再生装置に記録した番組を再生する際に行うことができる。ところが、該番組が、ユーザの番組視聴に関する契約内容や課金管理による支払状況によって、元々再生できない番組であった場合、そのことは再生時に判明することになり、ユーザにとって無駄な番組の記録再生を行うことになるという問題がある。
【００１０】
また、上記記録再生装置では、視聴料金などの視聴条件が著作物やその情報提供者の条件によって変動した場合、更新された視聴条件を反映することができず、番組を記録した時点での視聴条件で再生しつづける必要があるため、視聴料金が安価になったときでもユーザはその優遇措置を享受できない。
【００１１】
さらに、上記のような主情報およびその付随情報を放送するサービスにおいて、広告や期間限定のユーザ特典情報などの非有料放送を放送した場合、従来の放送受信端末では、該非有料放送を無料放送として再生するだけで、ユーザに対し、該非有料放送の視聴量に応じて有料放送を視聴する際の視聴条件を緩和するといった有効な特典サービスを提供することができなかった。
【００１２】
本発明は、かかる問題点を解消するためになされたもので、有料放送番組を記録した後でも該番組の視聴条件が更新可能で、最新の視聴条件で受信番組の記録再生および課金制御が可能な放送受信端末を提供することを目的とするものである。
【００１３】
【課題を解決するための手段】
上記従来の放送受信端末がもつ課題を解決するために、本発明（請求項１）の放送受信端末は、放送番組を含む主情報，及び該番組の視聴料金体系情報を含む付随情報から構成される放送信号を受信して表示あるいは記録，再生する放送受信端末において、上記主情報および付随情報を保存するメモリ部と、上記放送信号を受信し、受信した放送信号，或いは該メモリ部の出力から主情報および付随情報を抽出する受信部と、該メモリ部の記録再生を制御するメモリ制御部と、主情報を処理する主情報処理部と、通信回線を介して、該放送受信端末が受信した主情報の番組を視聴するための認証および課金を行う外部サーバと情報通信を行う通信部と、ユーザの操作入力に応じて、上記受信部が抽出した付随情報を処理する付随情報処理部と、上記主情報処理部の出力から再生信号を生成する出力部と、上記付随情報処理部および通信部の出力に応じて、上記主情報処理部、メモリ制御部、および出力部を制御するシステム制御部とを備え、該システム制御部は、上記付随情報処理部及び通信部の出力に応じて付随情報を更新し、上記メモリ部に保存された付随情報を更新するようメモリ制御部を制御するものである。
【００１４】
また、本発明（請求項２）の放送受信端末は、請求項１に記載の放送受信端末において、上記付随情報は、番組放送日時，チャンネル情報，放送事業者情報を含む放送形態，及び視聴料金体系情報を含む視聴条件の各情報を識別するプログラム識別情報と、番組タイトル，番組制作日，著作者名を含む番組内容を識別するコンテンツ識別情報とで構成され、上記付随情報処理部は、付随情報からプログラム識別情報およびコンテンツ識別情報を識別し、該コンテンツ識別情報から、過去に受信した番組の放送信号の再放送であること、及び該再放送の付随情報であって該過去に受信した番組の付随情報が更新されたものを識別し、上記システム制御部は、上記通信部および付随情報処理部の出力に応じて、該付随情報処理部が付随情報を更新するように制御し、メモリ部に保存された付随情報のコンテンツ識別情報およびプログラム識別情報を更新記録するようメモリ制御部を制御するものである。
【００１５】
また、本発明（請求項３）の放送受信端末は、請求項２に記載の放送受信端末において、上記付随情報処理部は、コンテンツ識別情報から、広告放送または視聴者特典放送を含む非有料放送であるか有料放送であるかを識別するものであるものである。
また、本発明（請求項４）の放送受信端末は、請求項３に記載の放送受信端末において、上記付随情報処理部は、メモリ部に保存された非有料放送のコンテンツ識別情報に応じて、受信する有料放送，或いは該メモリ部に保存された有料放送のコンテンツ識別情報を更新するものであるものである。
【００１６】
【発明の実施の形態】
以下に、本発明の実施の形態を図面を参照して説明する。
（実施の形態１）
図１は、本発明の実施の形態１による放送受信端末の構成を示すブロック図である。
図１において、１００はメモリ部であり、放送信号を構成する主情報および付随情報を保存する。１０１は受信部であり、放送信号を受信して該放送信号，あるいはメモリ部１００の出力から主情報および付随情報を抽出する。１０２はメモリ制御部であり、メモリ部１０８の記録再生制御を行う。１０３は主情報処理部であり、メモリ制御部１０２が出力する主情報を処理する。１０４は出力部であり、処理された主情報から再生信号を生成する。１０５は付随情報処理部であり、受信部１０１が抽出した付随情報をユーザの操作入力に応じて処理する。１０７は通信部であり、通信回線を用いて外部サーバと情報通信を行う。１０６はシステム制御部であり、付随情報処理部１０５および通信部１０７の出力に応じてメモリ制御部１０２，主情報処理部１０３，及び出力部１０４を制御する。
【００１７】
つぎに、本実施の形態１による放送受信端末における動作について、図１により説明する。
まず、受信部１０１は入力された放送信号から番組である映像や音声などの主情報と、その番組の識別情報や視聴料金などの属性を表わす付随情報とを抽出して出力する（ステップ１）。
次いで、受信部１０１から出力された付随情報および主情報は、メモリ制御部１０２に入力される（ステップ２）。
同時に、受信部１０１から出力された付随情報は、付随情報処理部１０５で復号され、放送チャンネルや放送日時，番組内容，視聴料金などの放送番組に関する情報が生成される（ステップ３）。
【００１８】
次いで、生成された各種情報は、システム制御部１０６を介して出力部１０４に出力され、再生信号として出力部１０４に接続されたディスプレイに表示される（ステップ４）。該ディスプレイには、その主情報がどのような内容の番組か、視聴するための料金がいくらかなどの情報が表示される。
【００１９】
ここで、ユーザが上記ディスプレイに表示された有料放送番組に関する情報を見て、該有料放送番組を表示あるいは記録するため、付随情報処理部１０５に操作入力する。
【００２０】
まず、該有料放送番組を表示すべく付随情報処理部１０５に操作入力した場合について説明すると、付随情報処理部１０５は、操作入力に応じて付随情報を処理することによって、システム制御部１０６および通信部１０７に対してユーザが当該番組を視聴可能か照会する（ステップ５）。
【００２１】
次いで、通信部１０７は、付随情報処理部１０５の照会に応じて、予め登録された，或いは，付随情報として入力された通信相手先と通信を開始する。具体的には、放送およびその課金を管理する管理サーバである通信相手先と、通信回線として電話回線を介した情報通信を行う。この情報通信によって、管理サーバは、ユーザの視聴契約内容や視聴料支払いに関する状況を確認し、ユーザが番組を視聴するための認証を行い課金する。このユーザ認証および課金の結果を、該通信部１０７が取得して、システム制御部１０６に出力する（ステップ６）。なお、通信部１０７は、必ずしも付随情報処理部１０５からの出力に応じて毎回情報通信を行うものでなく、一定期間、通信内容を蓄積しておき、所定のタイミングで情報通信を行うものであってもよい。
【００２２】
一方、受信部１０１から出力された主情報は、メモリ制御部１０２に出力される（ステップ７）。
次いで、システム制御部１０６は、ユーザが番組を視聴できる場合、通信部１０７および付随情報処理部１０５の出力に応じて、メモリ制御部１０２に該番組の主情報を主情報処理部１０３に出力させ、主情報処理部１０３はこれを復号する（ステップ８）。
次いで、出力部１０４は、主情報処理部１０３からの主情報の再生信号を生成してこれを出力する（ステップ９）。
【００２３】
ちなみに、ユーザが番組を視聴できない場合には、システム制御部１０６は、メモリ制御部１０２に主情報処理部１０３への主情報の出力を禁止させるとともに、出力部２０４に対して該番組を視聴できない旨を表示させる。
次に、上記ステップ４において、ユーザが上記ディスプレイに表示された有料放送番組に関する情報を見て、該有料放送番組を記録操作した場合の動作について説明する。
まず、上記ステップ５〜７と同様に動作して、通信部１０７は付随情報処理部１０５によるユーザ認証の照会に基づいて、番組の視聴料金支払いや視聴有効期限などの付随情報をシステム制御部１０６に出力し、受信部１０１からは主情報がメモリ制御部１０２に出力される（ステップ１１）。
【００２４】
次いで、システム制御部１０６は、通信部１０７の出力と付随情報処理部１０５の出力とに応じて、番組の視聴料金支払いや視聴有効期限などの付随情報を更新してメモリ制御部１０２に出力する（ステップ１２）。
次いで、メモリ制御部１０２は該付随情報と上記主情報とをメモリ部１００に記録する（ステップ１３）。
【００２５】
さらに、ユーザがメモリ部１００に記録された放送番組を再生すべく付随情報処理部１０５に操作入力した場合の動作について説明する。
まず、システム制御部１０６およびメモリ制御部１０２は連動して、メモリ部１００に記録された当該放送番組の主情報および付随情報を受信部１０１に対して出力する（ステップ２１）。
次いで、受信部１０１は、入力された主情報および付随情報を抽出して出力する（ステップ２２）。
【００２６】
次いで、付随情報処理部１０５は受信部１０１から出力された付随情報に応じて当該番組をユーザが視聴する条件を識別する（ステップ２３）。
このとき、ユーザが当該番組に関して既に視聴料金を支払い、かつ当該番組の視聴有効期間内であるといった視聴条件を満足する場合、付随情報処理部１０５はシステム制御部１０６に対して当該番組が視聴可能である旨出力する（ステップ２４）。
【００２７】
次いで、システム制御部１０６はこれに応じてメモリ制御部１０２および主情報処理部１０３を制御する（ステップ２５）。
次いで、メモリ制御部１０２はシステム制御部１０６の出力に応じて受信部１０１から出力される主情報を主情報処理部１０３に出力し、主情報処理部１０３は入力された主情報を復号する（ステップ２６）。
次いで、出力部１０４は、復号された主情報に応じて再生信号を生成する（ステップ２７）。
【００２８】
一方、上記ステップ２３において、メモリ部１００から読み出された付随情報によって、ユーザが当該番組を視聴するための諸条件を満足しない場合には、付随情報処理部１０５は通信部１０７に対して再度ユーザの認証を照会する（ステップ３４）。
【００２９】
次いで、システム制御部１０６は、付随情報処理部１０５および通信部１０７の出力に応じて、番組の視聴条件を満足するようになったか否かを識別する（ステップ３５）。
次いで、視聴可能となった場合、システム制御部１０６は付随情報を更新し、メモリ制御部１０２に対してメモリ部１００に記録された付随情報を更新するよう制御し、さらに主情報処理部１０３に対して主情報を復号するよう制御する（ステップ３６）。
【００３０】
次いで、出力部１０４は、復号された主情報に応じて再生信号を生成する（ステップ３７）。ちなみに、視聴不可能のままの場合には、システム制御部１０６は、メモリ制御部１０２に主情報処理部１０３への主情報の出力を禁止させるとともに、出力部２０４に対して該番組を視聴できない旨を表示させる。
以上のように、本発明の実施の形態１による放送受信端末は、受信した主情報とともに、当該主情報からなる番組を視聴するための視聴料金の支払いや視聴期限などの付随情報をいったん設定して保存し、保存した番組を再生するとき、再度視聴条件の認証を行って付随情報を再度更新するものとしたから、ユーザの番組視聴に関する契約内容や課金管理による支払状況によって再生できない番組を記録するという無駄を省くことができるとともに、保存した番組を再生する際、記録時とは視聴条件が変動していた場合には更新された視聴条件を適用することができ、ユーザは視聴料金が安価になった場合などにその優遇措置を享受できる。
【００３１】
（実施の形態２）
図２はディジタル衛星放送における放送信号の構成例を示す概略図である。
図２に示すように、該放送信号は、番組の映像や音声などの主情報であるコンテンツデータと、その番組の識別情報や視聴料金などの属性を表す付随情報とからなる。また、該付随情報は、放送チャンネルや放送日時，視聴料金などの放送形態と視聴条件とを識別するプログラム識別情報と、番組タイトル，番組制作日，著作者名などの番組内容を識別するコンテンツ識別情報とからなる。
【００３２】
本実施の形態２による放送受信端末は、上記実施の形態１による放送受信端末の構成（図１）と基本的に同様である。ただし、本実施の形態２において、付随情報処理部１０５は、図２に示した付随情報のうちのプログラム識別情報とコンテンツ識別情報とを識別し、システム制御部１０６は、随時受信した放送信号のプログラム識別情報およびコンテンツ識別情報から、その放送信号がメモリ部１０２に保存された番組の再放送や同番組の付随情報の更新情報であることを識別して、メモリ部１０２に保存された当該付随情報を更新する。
【００３３】
つぎに、本実施の形態２による放送受信端末の動作について、図１を参照して説明する。
ここで、本実施の形態２による放送受信端末において、有料放送番組に関する情報をディスプレイに表示し、該有料放送番組を表示および記録する動作については、基本的に上記実施の形態１のステップ１〜９およびステップ１１〜１３と同様である。
【００３４】
すなわち、受信部１０１はユーザが放送番組を視聴しているか否かに関わらず、随時放送信号を受信し、主情報および付随情報を抽出する。
次いで、上記ステップ２と同様にして、該主情報および付随情報はメモリ制御部１０２に入力される。
【００３５】
次いで、付随情報処理部１０５は、受信部１０１から出力される付随情報より、受信した放送の放送日時や視聴料金を識別するプログラム識別情報と、番組内容を識別するコンテンツ識別情報とを検出して出力する。
次いで、上記ステップ４と同様にして、出力部１０４に接続されたディスプレイに有料放送番組に関する情報が表示される。
【００３６】
以下、ユーザが該有料放送番組を表示するため、付随情報処理部１０５に操作入力した場合、各手段において上記ステップ５〜９と同様に動作して、出力部１０４は、ユーザが番組を視聴できる場合には、主情報の再生信号を生成してこれを出力し、視聴できない場合には、該番組を視聴できない旨をディスプレイに表示する。
一方、ユーザが該有料放送番組を記録操作した場合には、各手段において上記ステップ１１〜１３と同様に動作して、メモリ制御部１０２は該付随情報と上記主情報とをメモリ部１００に記録する。
【００３７】
以下、ユーザがメモリ部１００に有料放送番組を記録した後、該有料放送番組を再生するまでの動作について説明する。
まず、上述のように、受信部１０１ではユーザが放送番組を視聴しているか否かに関わらず、随時放送信号を受信し、主情報および付随情報を抽出して出力している。
【００３８】
次いで、付随情報処理部１０５は、随時受信，抽出されて受信部１０１から出力される付随情報より、受信した放送の放送日時や視聴料金を識別するプログラム識別情報と、番組内容を識別するコンテンツ識別情報とを検出して出力する。
次いで、システム制御部１０６は、付随情報処理部１０５から出力されるコンテンツ識別情報を識別し、受信した放送信号がメモリ部１００に保存された番組の再放送や、同番組の付随情報の更新情報であることを検出する。
次いで、当該更新情報を受信したとき、システム制御部１０６は、付随情報処理部１０５が出力するプログラム識別情報に含まれる視聴料金設定を、メモリ部１００に保存された同一コンテンツのプログラム識別情報のものと比較し、必要に応じてこれを更新する。
【００３９】
さらに、ユーザがメモリ部１００に記録された放送番組を再生すべく付随情報処理部１０５に操作入力した場合の動作について説明する。
まず、ユーザが当該番組に関して既に視聴料金を支払い、かつ当該番組の視聴有効期間内であるといった視聴条件を満足する場合、各手段において上記実施の形態１のステップ２１〜２７と同様に動作して、出力部１０４は、復号された主情報に応じて再生信号を生成する。
【００４０】
一方、ユーザが当該番組を視聴するための諸条件を満足しない場合には、付随情報処理部１０５は通信部１０７に対して再度ユーザの認証を照会することなく、システム制御部１０６は、メモリ制御部１０２に主情報処理部１０３への主情報の出力を禁止させるとともに、出力部１０４に対して該番組を視聴できない旨を表示させる。
【００４１】
以上のように、本発明の実施の形態２による放送受信端末は、付随情報処理部で付随情報からプログラム識別情報およびコンテンツ識別情報を識別し、該プログラム識別情報およびコンテンツ識別情報から、過去に受信した番組の放送信号の再放送で、その番組についての更新されたプログラム識別情報またはコンテンツ識別情報であることを識別し、システム制御部は、付随情報処理部がプログラム識別情報を更新し、メモリ部がコンテンツ識別情報を更新記録するよう制御するものとしたから、実施の形態１による放送受信端末の効果に加え、いったんメモリ部に保存した番組について、その後視聴料金や視聴有効期限などの視聴条件が更新された場合でも、主情報を再度記録しなおすことなく該当する付随情報のみをメモリ部に更新記録できる。
【００４２】
（実施の形態３）
本実施の形態３による放送受信端末は、上記実施の形態１による放送受信端末の構成（図１）と基本的に同様である。ただし、本実施の形態３において、付随情報処理部１０５は、受信した付随情報のコンテンツ識別情報（図２参照）に基づいて、受信中の放送信号が有料番組放送か、或いは、広告や視聴者特典情報などの非有料放送かを識別し、システム制御部１０６は、非有料放送を受信した場合、その後受信する有料放送やメモリ部１００に保存された有料な番組の再生に必要とする視聴条件を更新する。
【００４３】
つぎに、本実施の形態３による放送受信端末の動作について、図１を参照して説明する。
まず、各手段において、上記実施の形態１のステップ１〜４と同様に動作して、出力部１０４に接続されたディスプレイに有料放送に関する情報が表示される。なお、該ステップ３においては、付随情報処理部１０５は、受信部１０１からの付随情報のコンテンツ識別情報に基づいて、受信した放送が放送事業者や番組提供者による広告放送やその放送の視聴者を対象とした特典放送である非有料放送か、或いは、通常の有料番組放送かも検出する。したがって、ディスプレイに表示される有料放送に関する情報には、該非有料放送か、或いは、通常の有料番組放送かも表示される。また、有料番組と非有料放送を同時放送する形態も考えられる。
【００４４】
次いで、システム制御部１０６は付随情報処理部１０５に、通信部１０７に対してユーザ認証や課金処理を照会させず、メモリ制御部１０２，及び主情報処理部１０３に対して主情報を出力するよう制御する。また、システム制御部１０６はユーザの有料放送の視聴に関する設定を更新して、これをメモリ制御部１０２を介してメモリ部１００に特典情報として保存させる。
次いで、出力部１０４は、主情報処理部１０３からの主情報の再生信号を生成してこれを出力する。
【００４５】
つぎに、メモリ部１００に特典情報が蓄積されているとき、ユーザが有料放送を表示すべく付随情報処理部１０５に操作入力した場合、付随情報処理部１０５は、操作入力に応じてメモリ部１００に蓄積された特典情報を参照し、有料放送の視聴条件に応じて、本来の視聴料金や視聴有効期限に対して異なる条件を適用させて、上記実施の形態１のステップ６と同様にして、通信部１０７を介した管理サーバとの情報通信によりユーザの認証ならびに課金処理を行う。
【００４６】
次いで、システム制御部１０６は、通信部１０７および付随情報処理部１０５の出力に応じて、ユーザが番組を視聴できる場合、受信部１０１からメモリ制御部１０２に出力されている主情報を主情報処理部１０３に出力させ、主情報処理部１０３はこれを復号する。
次いで、出力部１０４は、主情報処理部１０３からの主情報の再生信号を生成してこれを出力する。
【００４７】
以上のように、本発明の実施の形態３による放送受信端末は、実施の形態１による放送受信端末の構成に加え、記付随情報処理部でコンテンツ識別情報から非有料放送か有料放送かを識別するものとしたから、非有料放送を無料放送として再生することができる。
【００４８】
また、広告や期間限定のユーザ特典情報などの非有料放送から、該特典情報を保存し、ユーザが広告などの視聴者特典情報を視聴していれば、有料放送の視聴条件を主情報に伴われる付随情報に含まれる本来の視聴条件とは異なるものを適用するものとしたから、実施の形態１による放送受信端末の効果に加え、特定の広告を視聴したとき、特定の有料放送の視聴料金を割り引くなどの優遇サービスを実施することができ、付随情報に含まれる視聴有効期限などその他の視聴条件に関しても、同様に更新することが可能となる。
【００４９】
【発明の効果】
以上説明したところから明らかなように、本発明（請求項１）は、受信した主情報とともに、当該主情報である番組を視聴するための視聴料金の支払いや視聴期限などの付随情報をいったん設定して保存し、保存した番組を再生するとき、再度視聴条件の認証を行って付随情報を再度更新するものとしたから、ユーザの番組視聴に関する契約内容や課金管理による支払状況によって再生できない番組を記録するという無駄を省くことができるとともに、保存した番組を再生する際、記録時とは視聴条件が変動していた場合には更新された視聴条件を適用することができ、ユーザは視聴料金が安価になった場合などにその優遇措置を享受できる効果がある。
【００５０】
また、本発明（請求項２）は、請求項１に記載の放送受信端末において、上記付随情報処理部で付随情報からプログラム識別情報およびコンテンツ識別情報を識別し、該コンテンツ識別情報から、過去に受信した番組の放送信号の再放送で、その番組についての更新されたコンテンツ識別情報であることを識別し、上記システム制御部は、付随情報処理部がプログラム識別情報を更新し、メモリ部がコンテンツ識別情報を更新記録するよう制御するものとしたから、さらに、いったんメモリ部に保存した番組について、その後視聴料金や視聴有効期限などの視聴条件が更新された場合でも、主情報を再度記録しなおすことなく該当する付随情報のみをメモリ部に更新記録できる効果がある。
【００５１】
また、本発明（請求項３）は、請求項２に記載の放送受信端末において、上記付随情報処理部でコンテンツ識別情報から非有料放送か有料放送かを識別するものとしたから、非有料放送は視聴の認証をせずに無料放送として記録再生することができる効果がある。
【００５２】
また、本発明（請求項４）は、請求項３に記載の放送受信端末において、広告や期間限定のユーザ特典情報などの非有料放送から、該特典情報を保存し、ユーザが広告などの視聴者特典情報を視聴していれば、有料放送の視聴条件を主情報に伴われる付随情報に含まれる本来の視聴条件とは異なるものを適用するものとしたから、さらに、広告や視聴者特典情報などの非有料放送を視聴したユーザのみに対して有料放送の視聴条件を更新できる新しい付加サービスを提供できる効果がある。
【図面の簡単な説明】
【図１】実施の形態による放送受信端末の構成を示すブロック図である。
【図２】ディジタル衛星放送における放送信号の構成を示す概略図である。
【図３】従来の放送受信端末の構成を示すブロック図である。
【符号の説明】
１００    メモリ部
１０１，２０１    受信部
１０２    メモリ制御部
１０３，２０３    主情報処理部
１０４，２０４    出力部
１０５，２０５    付随情報処理部
１０６，２０６    システム制御部
１０７，２０７    通信部
【図１】
0004308958.tif 000002
【図２】
0004308958.tif 000003
【図３】
0004308958.tif 000004